(57)【要約】【課題】仮保持部を、構造が簡単で安価且つ作業性の良いものとする。【解決手段】仮保持部３１が、車体側ブラケット２２に設けられた保持面部３２と、モジュール側ブラケット２３に設けられて、エアバッグリッド部材５のインストルメントパネル１への取付けにより、保持面部３２の上に乗って、前後の連結部３，４を片浮遊状態とする乗上部３３とを備えると共に、仮保持部３１が、保持面部３２に形成された落孔部３５と、乗上部３３から下方へ突設されて、落孔部３５へ落とし込まれることにより、節度感を発生させると共に前後の連結部３，４を両浮遊状態とする突起部３６とを備えるようにしている。【選択図】図３
2007320337.tif 000002
【特許請求の範囲】
【請求項１】
エアバッグ装置が、前後の連結部を介して浮遊可能状態で上下に連結されたエアバッグリッド部材とエアバッグモジュールとを備え、
前記エアバッグリッド部材が、インストルメントパネルに形成されたエアバッグ取付開口部に対して閉成可能に取付けれらると共に、前記エアバッグモジュールが、インストルメントパネルの内部に配設された車体側メンバに対し取付部を介して取付けられ、
該取付部が、車体側メンバに取付けられた車体側ブラケットと、エアバッグモジュールの下部に設けられて、車体側ブラケットに対しボルト締結可能なモジュール側ブラケットとを備え、
前記両ブラケットのボルト締結時に、エアバッグモジュールの仮保持を行う仮保持部を備えたエアバッグ装置の取付構造において、
前記仮保持部が、前記車体側ブラケットに設けられた保持面部と、前記モジュール側ブラケットに設けられて、エアバッグリッド部材のインストルメントパネルへの取付けにより、前記保持面部の上に乗って、前後の連結部を片浮遊状態とする乗上部とを備えると共に、
前記仮保持部が、前記保持面部に形成された落孔部と、前記乗上部から下方へ突設されて、前記落孔部へ落とし込まれることにより、節度感を発生させると共に前後の連結部を両浮遊状態とする突起部とを備えたことを特徴とするエアバッグ装置の取付構造。
【発明の詳細な説明】
【技術分野】
【０００１】
この発明は、エアバッグ装置の取付構造に関するものである。
【背景技術】
【０００２】
自動車などの車両には、車室内の前部にインストルメントパネルが設けられている。このインストルメントパネルの助手席側の部分には、緊急時の安全手段として助手席用のエアバッグ装置が設けられている。この助手席用のエアバッグ装置は、車体に所定値以上の衝撃荷重が加わったときに、インストルメントパネルの内部に配設されたエアバッグモジュールに折り畳んで収納されているエアバッグ本体が、インフレータからの高圧気体の供給によって展開され、インストルメントパネルに設けられたエアバッグリッド部材を開成して車室内乗員側へ膨出し、助手席乗員を受け止めてインストルメントパネル等に二次衝突しないように拘束保護するものである（例えば、特許文献１、２参照）。
【０００３】
この助手席用のエアバッグ装置は、前後の連結部を介して浮遊可能状態で上下に連結されたエアバッグリッド部材とエアバッグモジュールとを備えている。
【０００４】
そして、エアバッグリッド部材が、インストルメントパネルに形成されたエアバッグ取付開口部に対して閉成可能に取付けれらると共に、エアバッグモジュールが、インストルメントパネルの内部に配設された車体側メンバに対し取付部を介して取付けられる。
【０００５】
この取付部は、車体側メンバに取付けられた車体側ブラケットと、エアバッグモジュールの下部に設けられて、車体側ブラケットに対しボルト締結可能なモジュール側ブラケットとを備えている。
【０００６】
エアバッグ装置の取付けは、エアバッグ取付開口部を通して外部からインストルメントパネルの内部へエアバッグ装置を挿入し、エアバッグリッド部材をエアバッグ取付開口部に取付けると共に、エアバッグモジュールの下部を取付部を介して車体側メンバに取付けるようにする。
【０００７】
上記取付部では、車体側メンバに取付けられた車体側ブラケットと、エアバッグモジュールの下部に設けられたモジュール側ブラケットとをボルト締結する。
【０００８】
この両ブラケットのボルト締結に際し、仮保持部によって、エアバッグモジュールの仮保持を行わせておくようにする。
【特許文献１】特開平０７−２６７０３４号公報
【特許文献２】特開２０００−２５５３５９号公報
【発明の開示】
【発明が解決しようとする課題】
【０００９】
上記した仮保持の際に、エアバッグモジュールが自重で下へさがることにより、連結部が浮遊状態でなくなってしまうと、車体側ブラケットのネジ孔とモジュール側ブラケットのネジ孔とが位置ズレを起こしてボルト締結がうまく行かなくなるので、仮保持部には、浮遊状態で位置決めをしつつ仮保持ができるように、複雑な構造が採用されていた。しかし、仮保持部が複雑な構造となっていたため、作業性が良くないという問題や、コストがかかるという問題などが発生していた。
【課題を解決するための手段】
【００１０】
上記課題を解決するために、請求項１に記載された発明では、エアバッグ装置が、前後の連結部を介して浮遊可能状態で上下に連結されたエアバッグリッド部材とエアバッグモジュールとを備え、前記エアバッグリッド部材が、インストルメントパネルに形成されたエアバッグ取付開口部に対して閉成可能に取付けれらると共に、前記エアバッグモジュールが、インストルメントパネルの内部に配設された車体側メンバに対し取付部を介して取付けられ、該取付部が、車体側メンバに取付けられた車体側ブラケットと、エアバッグモジュールの下部に設けられて、車体側ブラケットに対しボルト締結可能なモジュール側ブラケットとを備え、前記両ブラケットのボルト締結時に、エアバッグモジュールの仮保持を行う仮保持部を備えたエアバッグ装置の取付構造において、前記仮保持部が、前記車体側ブラケットに設けられた保持面部と、前記モジュール側ブラケットに設けられて、エアバッグリッド部材のインストルメントパネルへの取付けにより、前記保持面部の上に乗って、前後の連結部を片浮遊状態とする乗上部とを備えると共に、前記仮保持部が、前記保持面部に形成された落孔部と、前記乗上部から下方へ突設されて、前記落孔部へ落とし込まれることにより、節度感を発生させると共に前後の連結部を両浮遊状態とする突起部とを備えたエアバッグ装置の取付構造を特徴としている。
【発明の効果】
【００１１】
請求項１の発明によれば、仮保持部が、車体側ブラケットに設けられた保持面部と、モジュール側ブラケットに設けられて、エアバッグリッド部材のインストルメントパネルへの取付けにより、保持面部の上に乗って、前後の連結部を片浮遊状態とする乗上部とを備えると共に、仮保持部が、保持面部に形成された落孔部と、乗上部から下方へ突設されて、落孔部へ落とし込まれることにより、節度感を発生させると共に前後の連結部を両浮遊状態とする突起部とを備えたことにより、仮保持部を構造が簡単で安価なものとすることができる。しかも、保持面部に乗上部を乗せて突起部を落孔部へ落とし込ませて節度感を確認するだけなので、見え難い場所であっても仮保持が容易で、確実に位置決めができるようになり、以て、作業性を良くすることができる。更に、乗上部に突起部を設けることにより、乗上部のエアバッグモジュールに対する支持剛性を確保することができる。
【発明を実施するための最良の形態】
【００１２】
仮保持部を、構造が簡単で安価且つ作業性の良いものとするという目的を、仮保持部が、車体側ブラケットに設けられた保持面部と、モジュール側ブラケットに設けられて、エアバッグリッド部材のインストルメントパネルへの取付けにより、保持面部の上に乗って、前後の連結部を片浮遊状態とする乗上部とを備えると共に、仮保持部が、保持面部に形成された落孔部と、乗上部から下方へ突設されて、落孔部へ落とし込まれることにより、節度感を発生させると共に前後の連結部を両浮遊状態とする突起部とを備えるようにする、という手段で実現した。
【実施例】
【００１３】
以下、本発明を具体化した実施例について、図示例と共に説明する。
【００１４】
図１〜図９は、この発明の実施例を示すものである。
【００１５】
まず、構成について説明すると、自動車などの車両には、車室内の前部に、図１に示すようなインストルメントパネル１が設けられている。インストルメントパネル１には各種のものが存在するが、この場合、インストルメントパネル１は、上下に分割されたうちのロワ部品（インストルメントパネルロワ部品）となっている。なお、インストルメントパネル１は、インストルメントパネルアッパ部品や、非分割物（一体物）のインストルメントパネルロワ部品などであっても良い。このインストルメントパネル１の助手席側の部分には、緊急時の安全手段として、図２に示すように、助手席用のエアバッグ装置２が設けられている。
【００１６】
この助手席用のエアバッグ装置２は、図３に示すように、前後の連結部３，４を介して浮遊可能状態で上下に連結されたエアバッグリッド部材５とエアバッグモジュール６とを備えている。なお、エアバッグリッド部材５が上側に配置され、エアバッグモジュール６が下側に配置される。
【００１７】
ここで、前後の連結部３，４は、それぞれフック部７および係止孔８とされている。そして、フック部７と係止孔８との間に上下方向の隙間を形成することにより、浮遊可能状態となるように構成されている。エアバッグモジュール６は、ほぼ車幅方向１０へ横長に延びて上面が開口した金属製の容器状をしており、エアバッグモジュール６の内部には、特に図示しないが、折り畳んだ状態のエアバッグ本体と、高圧気体を発生させるインフレータとが上下に収納されている。そして、フック部７は、エアバッグモジュール６の前後面における上縁部近傍に設けられる。また、係止孔８は、エアバッグリッド部材５の裏面側から一体に延設形成された取付脚部１１の前後面におけるフック部７と対応する位置に設けられている。ここで、フック部７は、外向きで且つ先端が下向きとされており、係止孔８に対し、内側で且つ下側から挿入・係止するものとされている。また、取付脚部１１は、エアバッグモジュール６の上縁部近傍を包囲して、展開時にエアバッグ本体をエアバッグリッド部材５の中央部へ向けてガイドする機能を有している。また、取付脚部１１は、垂直上方よりも若干後傾する方向へ向けて形成されている。この取付脚部１１の方向が、エアバッグ本体の膨出方向となる。
【００１８】
そして、エアバッグリッド部材５は、樹脂によって構成され、インストルメントパネル１に形成されたエアバッグ取付開口部１５の部分に、エアバッグ取付開口部１５を閉成可能に取付けられる。この取付けのために、エアバッグリッド部材５の少なくとも前後または上下の縁部には、エアバッグ取付開口部１５の裏面またはその近傍に係止可能な係止爪１６，１７が設けられている。なお、エアバッグリッド部材５は、インストルメントパネル１とほぼ面一の状態でエアバッグ取付開口部１５に取付けられる。そのために、エアバッグ取付開口部１５の周縁部には、エアバッグリッド部材５の厚みとほぼ等しい段差量を有してエアバッグリッド部材５の周縁部を下方から係止保持可能な段差部などが設けられる。エアバッグリッド部材５の裏面側における取付脚部１１の内側の部分には、エアバッグ本体の膨出によって開成されるドア部を画成するための開裂溝が形成されている。
【００１９】
一方、エアバッグモジュール６は、インストルメントパネル１の内部に配設された車体側メンバ２０に対し取付部２１を介して取付けられる。この車体側メンバ２０は、ほぼ車幅方向１０へ延びて左右の車体パネル間を連結する強度部材である。この車体側メンバ２０は、通常、ステアリングコラムを支持するのに用いられることにより、ステアリングサポートメンバなどと呼ばれている。この場合、車体側メンバ２０は、エアバッグ取付開口部１５の真下よりも若干前側に配設されている。
【００２０】
この取付部２１は、図４に示すように、車体側メンバ２０に取付けられた車体側ブラケット２２と、図５に示すように、エアバッグモジュール６の下部に設けられて、車体側ブラケット２２に対しボルト締結可能なモジュール側ブラケット２３とを備えている。車体側ブラケット２２は、車体側メンバ２０の後側の部分に取付けられており、モジュール側ブラケット２３は、エアバッグモジュール６下部の車体側メンバ２０と対応する位置に設けられている。車体側ブラケット２２とモジュール側ブラケット２３とは、溶接やボルト固定などによって、それぞれ車体側メンバ２０とエアバッグモジュール６とに対し取付けられている。車体側ブラケット２２とモジュール側ブラケット２３とは、この場合、それぞれ上方から見て前方が開いたほぼコ字状の断面形状を有しており、モジュール側ブラケット２３は車体側ブラケット２２を包持可能な大きさに形成されている。そして、車体側ブラケット２２とモジュール側ブラケット２３とのコ字状の中間部分が、当接固定面となる縦面部２４，２５とされている。この縦面部２４，２５は、取付脚部１１によるエアバッグ本体の膨出方向へほぼ向けられている。この縦面部２４，２５の対応する位置にはそれぞれネジ孔２６，２７が形成されている。この場合、ネジ孔２６，２７は、それぞれ左右に離して２個ずつ設けられている。ネジ孔２６の背面側には、例えば、ウェルドナットなどが取付けられる。
【００２１】
更に、図４〜図６に示すように、両ブラケット２２，２３のボルト締結時に、エアバッグモジュール６の仮保持を行う仮保持部３１が設けられる。
【００２２】
この実施例のものでは、仮保持部３１が、車体側ブラケット２２に設けられた保持面部３２と、モジュール側ブラケット２３に設けられて、エアバッグリッド部材５のインストルメントパネル１への取付けにより、保持面部３２の上に乗って、前後の連結部３，４を片浮遊状態とする乗上部３３とを備えている（図９参照）。
【００２３】
この場合、保持面部３２は、車体側ブラケット２２の縦面部２４における左右のネジ孔２６の中間部分からほぼ後方へ向けて延設されている。同様に、乗上部３３は、モジュール側ブラケット２３の縦面部２５における左右のネジ孔２７の中間部分からほぼ後方へ向けて延設されている。この場合、保持面部３２および乗上部３３は、それぞれ縦面部２４，２５の一部を後側へ切り起こすことによって形成されている。保持面部３２および乗上部３３の曲げ方向は、取付脚部１１によるエアバッグ本体の膨出方向に対してほぼ垂直とされている。また、乗上部３３が保持面部３２の上に乗ることにより、後側の連結部４が浮かされるようになっている。更に、保持面部３２の先端（後端）には、乗上部３３が乗り上げ易いように若干下方へ曲げられた乗り上げガイド３４が形成されている。
【００２４】
更に、仮保持部３１が、保持面部３２に形成された落孔部３５と、乗上部３３から下方へ突設されて、落孔部３５へ落とし込まれることにより、節度感を発生させると共に前後の連結部３，４を両浮遊状態とする突起部３６とを備えている。
【００２５】
この場合、落孔部３５は、前後方向および車幅方向１０へ向いた矩形孔とされている。突起部３６は、乗上部３３をほぼ下方へ曲げ形成（面外曲げ）して成る縦ビードとされている。この縦ビードは、前後方向に延設される。
【００２６】
なお、車幅方向１０に対する位置規制については、図６に示すように、保持面部３２の幅寸法と、乗上部３３を切り起こすための左右の切込部分４１の幅寸法とがほぼ等しくなるようにして、切込部分４１に保持面部３２をガイドさせつつ規制させるものとしている。この際、左右の切込部分４１の入口部（下部）には、導入を容易且つ確実にするためのアール加工部４２を設けるようにしている。
【００２７】
また、上下方向に対する位置規制については、突起部３６が落孔部３５に落とし込まれた際の保持面部３２と乗上部３３との間で行わせるように設定している。
【００２８】
更に、前後方向に対する位置規制については、突起部３６が落孔部３５に落とし込まれることによって行わせるようにしている。そのために、落孔部３５の前後寸法と突起部３６である縦ビードの前後寸法とがほぼ等しくなるように設定している。
【００２９】
次に、この実施例の作用について説明する。
【００３０】
助手席用のエアバッグ装置２は、車体に所定値以上の衝撃荷重が加わったときに、インストルメントパネル１の内部に配設されたエアバッグモジュール６に折り畳んで収納されているエアバッグ本体が、インフレータからの高圧気体の供給によって展開され、インストルメントパネル１に設けられたエアバッグリッド部材５を開成して車室内乗員側へ膨出し、助手席乗員を受け止めてインストルメントパネル１等に二次衝突しないように拘束保護する。
【００３１】
このエアバッグ装置２の取付けは、図７〜図９、図３に順に示すように、エアバッグ取付開口部１５を通して外部からインストルメントパネル１の内部へエアバッグ装置２を挿入して、エアバッグリッド部材５をエアバッグ取付開口部１５に取付けると共に、エアバッグモジュール６の下部を取付部２１を介して車体側メンバ２０に取付けることによって行う。
【００３２】
エアバッグ取付開口部１５に対するエアバッグリッド部材５の取付けは、通常、前側の係止爪１６を先に係止させてから、後側の係止爪１７を係止させるような取付軌跡で行われる。これに伴い、エアバッグモジュール６（のモジュール側ブラケット２３）も上記取付軌跡に従って、車体側メンバ２０（の車体側ブラケット２２）へ近接される。
【００３３】
上記取付部２１では、車体側メンバ２０に取付けられた車体側ブラケット２２と、エアバッグモジュール６の下部に設けられたモジュール側ブラケット２３との縦面部２４，２５どうしを当接させてボルト締結する。
【００３４】
この両ブラケット２２，２３のボルト締結に際し、仮保持部３１によって、エアバッグモジュール６の仮保持を行わせておくようにする。
【００３５】
即ち、図９に示すように、エアバッグリッド部材５をインストルメントパネル１へ取付けた状態で、モジュール側ブラケット２３の乗上部３３を、車体側ブラケット２２の保持面部３２の上へ乗せるようにする。この状態では、前後の連結部３，４が片浮遊状態となる。この場合には、後側の連結部４が浮かされる。
【００３６】
次に、モジュール側ブラケット２３を奥側へ押込むことにより、図３に示すように、保持面部３２に形成された落孔部３５へ乗上部３３から下方へ突設された突起部３６が落とし込まれて節度感が発生する。これにより、前後の連結部３，４が両浮遊状態となり、車体側ブラケット２２のネジ孔２６とモジュール側ブラケット２３のネジ孔２７とが、車幅方向１０、上下方向、前後方向の全てに対して位置決めされる。
【００３７】
このように、この実施例によれば、仮保持部３１が、車体側ブラケット２２に設けられた保持面部３２と、モジュール側ブラケット２３に設けられて、エアバッグリッド部材５のインストルメントパネル１への取付けにより、保持面部３２の上に乗って、前後の連結部３，４を片浮遊状態とする乗上部３３とを備えると共に、仮保持部３１が、保持面部３２に形成された落孔部３５と、乗上部３３から下方へ突設されて、落孔部３５へ落とし込まれることにより、節度感を発生させると共に前後の連結部３，４を両浮遊状態とする突起部３６とを備えたことにより、仮保持部３１を構造が簡単で安価なものとすることができる。
【００３８】
しかも、保持面部３２に乗上部３３を乗せて突起部３６を落孔部３５へ落とし込ませて節度感を確認するだけなので、見え難い場所であっても仮保持が容易で、確実に位置決めができるようになり、以て、作業性を良くすることができる。例えば、片手作業なども可能となる。
【００３９】
加えて、乗上部３３に縦ビードなどの突起部３６を設けることにより、乗上部３３の剛性を上げて、乗上部３３のエアバッグモジュール６に対する支持剛性を確保することができる。
【００４０】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００４１】
【図１】本発明の実施例にかかるエアバッグ装置が取付けられるインストルメントパネルの部分的な斜視図である。
【図２】エアバッグ装置が取付けられた図１の正面図である。
【図３】図２の側方断面図である。
【図４】車体側ブラケットを示す斜視図である。
【図５】モジュール側ブラケットを示す斜視図である。
【図６】車体側ブラケットとモジュール側ブラケットとを組合せた状態を示す斜視図である。
【図７】図３の取付工程図である。
【図８】図７に続く取付工程図である。
【図９】図８に続く取付工程図である。
【符号の説明】
【００４２】
１    インストルメントパネル
２    エアバッグ装置
３    連結部
４    連結部
５    エアバッグリッド部材
６    エアバッグモジュール
１５  エアバッグ取付開口部
２０  車体側メンバ
２１  取付部
２２  車体側ブラケット
２３  モジュール側ブラケット
３１  仮保持部
３２  保持面部
３３  乗上部
３５  落孔部
３６  突起部
【図１】
2007320337.tif 000003
【図２】
2007320337.tif 000004
【図３】
2007320337.tif 000005
【図４】
2007320337.tif 000006
【図５】
2007320337.tif 000007
【図６】
2007320337.tif 000008
【図７】
2007320337.tif 000009
【図８】
2007320337.tif 000010
【図９】
2007320337.tif 000011